(57)【要約】      （修正有）【課題】ミツバチが活動できなくなるのを防止できるミツバチ寄生ダニ駆除具を提供する。【解決手段】方形平板状のミツバチ寄生ダニ駆除具１であり、この内、方形平板状の不織布シートからなるシート部材２を有し、殺ダニ剤、防ダニ剤などのダニ駆除成分が表面に付着させたり、内部に含有させたりしてある。また、シート部材２の表裏の表面を覆う金属、プラスチックなどの素材によるメッシュ部材３を有し、例えば１．５ｍｍ×１．５ｍｍ乃至３．５ｍｍ×３．５ｍｍ程度の大きさのマス目を形成している。シート部材２とメッシュ部材３によりシート本体４が構成されている。さらに、シート本体４の四辺の周端縁に嵌着されたプラスチック製の枠体５を有し、ミツバチ寄生ダニ駆除具１の形状を安定させて取り扱いを容易にし、作業者がダニ駆除成分に直接触れず取り扱えるようにするものである。【選択図】図１
0003196081.tif 000002
【実用新案登録請求の範囲】
【請求項１】
ダニ駆除成分を有する紙シート、織布シート、不織布シートの中の一種以上の素材を含むシート部材と、
このシート部材の表面を覆うメッシュ部材と、
を含むシート本体を備えたこと、
を特徴とするみつばち寄生ダニ駆除具。
【請求項２】
シート本体の周縁に枠体を設けたこと、
を特徴とする請求項１記載のみつばち寄生ダニ駆除具。
【請求項３】
シート本体または枠体に、外部の係止対象に係止可能とする係止部を設けたこと、
を特徴とする請求項１または２記載のみつばち寄生ダニ駆除具。
【請求項４】
係止部は、シート本体の表面に沿った方向と垂直方向とに折り曲げ可能としたこと、
を特徴とする請求項３記載のみつばち寄生ダニ駆除具。
【考案の詳細な説明】
【技術分野】
【０００１】
本考案はみつばち寄生ダニ駆除具に係り、とくに殺ダニ剤、防ダニ剤などのダニ駆除成分を含むみつばち寄生ダニ駆除具に関する。
【背景技術】
【０００２】
蜂蜜採取などを生業とする養蜂業に於いて用いられている飼育巣箱内部で、ミツバチヘギイタダニなどの寄生ダニがミツバチの成虫及び蜂児に寄生して体液を吸いその結果、蛹から羽化してくる若蜂の羽の委縮や体躯の矮小化及び死に至らしめられる被害が問題となっている。
養蜂業では従来から、フルバリネート、アミトラズなどの化学製剤を練りこんだプラスチックシートを寄生ダニ駆除に用いて来たが、昨今、この薬剤に対し耐性を得た寄生ダニが増殖拡散してきたため、養蜂業界の大きな問題となってきている。
そこで、本願考案者は耐性ダニのできにくい天然成分を試みるべく、天然松ヤニエキスなどのダニ駆除剤を不織布に含有させたダニ駆除シートを、巣箱内の底板上、巣枠上桟、巣枠間などに設置してみた。
ところが巣箱内の異物などを排除し内部を清潔に保とうとする蜜蜂の習性により不織布製のダニ駆除シート自体の繊維を噛みほぐし排除しようとするため、ほぐれた繊維が蜜蜂の脚や体に絡まって動けなくなってしまい花粉の収集、蜂児の世話などの活動が出来なくなる欠点があった。
【先行技術文献】
【特許文献】
【０００３】
【特許文献１】特開２００２−２０２０８号公報
【考案の概要】
【考案が解決しようとする課題】
【０００４】
本考案は上記した従来技術の問題に鑑みなされたもので、密蜂が活動できなくなるのを防止したみつばち寄生ダニ駆除具を提供することを、その目的とする。
【課題を解決するための手段】
【０００５】
請求項１記載の考案では、ダニ駆除成分を有する紙シート、織布シート、不織布シートの中の一種以上の素材を含むシート部材と、
このシート部材の表面を覆うメッシュ部材と、
を含むシート本体を備えたこと、
を特徴としている。
請求項２記載の考案では、シート本体の周縁に枠体を設けたこと、
を特徴としている。
請求項３記載の考案では、シート本体または枠体に、外部の係止対象に係止可能とする係止部を設けたこと、
を特徴としている。
請求項４記載の考案では、係止部はシート本体の表面に沿った方向と垂直方向に折り曲げ可能としたこと、
を特徴としている。
【考案の効果】
【０００６】
本考案によれば、シート部材の表面がメッシュ部材により覆われているので、蜜蜂が繊維をほぐせなくなり、繊維が体に絡まり、活動できなくなるを防止できる。また、周縁に枠体を設けたので、形状が安定し、取り扱いが容易となる。また、係止部を設けたことにより、巣枠式巣箱の巣枠間に懸垂した状態で設置することが可能となる。
【図面の簡単な説明】
【０００７】
【図１】本考案の第１実施例に係るみつばち寄生ダニ駆除具の外観斜視図である（実施例１）。
【図２】図１のＩＩ−ＩＩ’線に沿った縦断面の端面図である。
【図３】巣枠式巣箱の外観斜視図である。
【図４】図１のみつばち寄生ダニ駆除具の使用方法の説明図である。
【図５】本考案の第２実施例に係るみつばち寄生ダニ駆除具の外観斜視図である（実施例２）。
【図６】図５のみつばち寄生ダニ駆除具の使用方法の説明図である。
【図７】図５のみつばち寄生ダニ駆除具の変形例を示す一部省略した外観斜視図である。
【考案を実施するための最良の形態】
【０００８】
以下、本考案の最良の形態を実施例に基づき説明する。
【実施例１】
【０００９】
図１、図２を参照して本考案の第１実施例を説明する。図１は本考案に係るみつばち寄生ダニ駆除具の外観斜視図、図２は図１のＩＩ−ＩＩ’線に沿った縦断面の端面図である。
図１、図２において、１は方形平板状のみつばち寄生ダニ駆除具であり、この内、２は方形平板状の不織布シートからなるシート部材であり、天然マツヤニエキスなどの殺ダニ剤、防ダニ剤などのダニ駆除成分が表面に付着させたり、内部に含有させたりしてある。３はシート部材２の表裏の表面を覆う金属、プラスチックなどの素材によるメッシュ部材であり、例えば１．５mm×１．５mm乃至３．５mm×３．５mm程度（好ましくは２mm×２mm程度）の大きさのマス目を形成している。シート部材２とメッシュ部材３によりシート本体４が構成されている。５はシート本体４の四辺の周端縁に嵌着されたプラスチック製の枠体であり、みつばち寄生ダニ駆除具１の形状を安定させて取り扱いを容易にし、作業者がダニ駆除成分に直接触れず取り扱えるようにするものである。
【００１０】
図３はみつばち寄生ダニ駆除具１を設置する巣枠式巣箱の上蓋を開けた状態を示す外観斜視図、図４は巣枠式巣箱の縦断面図であり、これらの図を参照して上記した実施例の使用方法を説明する。
図３、図４において、巣枠式巣箱１０は、方形の底板１１、底板１１に立設された前面板１２、背面板１３、左右の側面板１４、１５、これらの前面板１２、背面板１３、左右の側面板１４、１５の上端近くの外面の周囲に設けられた蓋受け部１６、蓋受け部１６の上に開閉自在に係止可能な上蓋１７、前面板１２と背面板１３の内面側の上端近くに設けられたあご部１８、前面板１２と背面板１３のあご部１８の間に挿脱自在に懸垂された多数の巣枠１９から構成されており、前面板１２の下端に密蜂の出入り口である巣門２０が設けてある。
【００１１】
図１に示すみつばち寄生ダニ駆除具１を使用する場合、作業者は巣枠式巣箱１０の上蓋１７を開け、巣枠１９を外し、みつばち寄生ダニ駆除具１を底板１１の上に水平に設置する。この際、みつばち寄生ダニ駆除具１は枠体５により形態が安定しており、枠体５を持つことで設置作業を容易かつ、ダニ駆除成分に直接手を触れることなく安全に行うことがてきる。この後、巣枠１９を戻し、上蓋１７を閉める（図４参照）。
ダニ駆除成分により巣枠式巣箱１０の内部のダニが死んでシート本体４の上に落ちたり、シート本体４の上で死んだりすると、清掃のため密蜂が巣門２０から外部に排出する。シート本体４のシート部材２は表面がメッシュ部材３により覆われているため、密蜂がシート部材２の繊維を口で噛んでほぐすことが難しくなり、従って、繊維が密蜂の脚や体に纏わりついて動けなくなることはない。
なお、みつばち寄生ダニ駆除具１は底板１１の上に載置するほか、図４の破線１ａに示す如く、複数の巣枠１９の上桟２１の上に載置するようにしても良い。
【００１２】
この実施例によれば、シート本体４を構成するシート部材２の表面がメッシュ部材３により覆われているので、密蜂が繊維をほぐせなくなり、繊維が脚や体に絡まり、活動できなくなるを防止できる。また、シート本体４の周縁に枠体５を設けたので、形状が安定し、取り扱いが容易となる。
【実施例２】
【００１３】
図５を参照して本考案の第２実施例を説明する。図５は本考案に係るみつばち寄生ダニ駆除具の外観斜視図であり、図１の第１実施例と同一の構成部分には同一の符号が付してある。
図５において、１Ａは方形平板状のみつばち寄生ダニ駆除具であり、この内、４はシート本体であり、天然松ヤニエキスなどの殺ダニ剤、抗ダニ剤などのダニ駆除成分が表面に付着させたり、内部に含有させたりした不織布シートからなるシート部材２と、シート部材２の表裏の表面を覆う金属、プラスチックなどの素材によるメッシュ部材３から構成されている。５Ａはシート本体４の四辺の周端縁に嵌着されたプラスチック製の枠体であり、みつばち寄生ダニ駆除具１Ａの形状を安定させて取り扱いを容易にし、作業者がダニ駆除成分に直接手を触れずに取り扱えるようにするものである。枠体５Ａの上辺の左右両隅には、シート本体４の表裏両面から垂直方向外側に突設した板状の係止部６が設けられている。
みつばち寄生ダニ駆除具１Ａのその他の構成部分は図１と同一に構成されている。
【００１４】
図６はみつばち寄生ダニ駆除具１Ａを設置した巣枠式巣箱の縦断面図であり、この図を参照して上記した第２実施例の使用方法を説明する。
図５に示すみつばち寄生ダニ駆除具１Ａを使用する場合、作業者は巣枠式巣箱１０の上蓋１７を開け、隣接する２つの巣枠１９の上桟２１の上に係止部６を係止させてみつばち寄生ダニ駆除具１Ａを巣枠１９の間の隙間に鉛直に懸垂させ、この後、上蓋１７を閉める。
ダニがダニ駆除成分で死んで底板１１の上に落ちると、清掃のため密蜂が巣門（図３の符号２０参照）から外部に排出する。シート本体４のシート部材２は表面がメッシュ部材３により覆われているため、密蜂がシート部材２の繊維を口で噛んでほぐすことは難しく、従って、繊維が密蜂の脚や体に纏わりついて動けなくなることはない。
【００１５】
この第２実施例によれば、シート本体４を構成するシート部材２の表面がメッシュ部材３により覆われているので、密蜂が繊維をほぐせなくなり、繊維が脚や体に絡まり、活動できなくなるを防止できる。また、シート本体４の周縁に嵌着した枠体５Ａに係止部６を設けたので、隣接する巣枠１９の間の隙間に鉛直に懸垂させることが可能となる。
【００１６】
なお、上記した第２実施例では、係止部は枠体からシート面に対し垂直方向に突設したが、図７に示す如く、枠体５Ｂの左右の上端部の表裏両面の部材をコ字状に切除し、シート本体４の表面に沿った方向と垂直方向に折り曲げ自在とした係止部６Ａとしても良い。図７の例によれば、係止部６Ａをシート本体４の表面に沿った状態にして、みつばち寄生ダニ駆除具を巣箱の底板の上や、巣枠の上に水平に設置することも、係止部６Ａをシート本体４の表面から垂直方向に折り曲げて、隣接する巣枠の間に鉛直に懸垂することもできる。
また、上記した各実施例ではシート本体を構成するシート部材に殺ダニ剤、防ダニ剤を表面または内部に含有する不織布シートを用いた場合を例に挙げたが、殺ダニ剤、防ダニ剤を表面または内部に含有する紙シートや織布シートを用いたり、殺ダニ剤、防ダニ剤を表面または内部に含有する不織布シート、紙シート、織布シートの内の複数種の複層シート部材を用いたり、不織布シート、紙シート、織布シートの内の１種または複数種のシートとプラスチック等のシート基材を合わせた積層シート部材を用いても良い。また、殺ダニ剤、防ダニ剤として、天然マツヤニエキス成分を用いる代わりに、従来のフルバリネート、アミトラズなどの化学製剤を用いたり、殺菌剤を合わせたりしても良い。
【産業上の利用可能性】
【００１７】
本考案は、蜂蜜採取等に用いる巣枠式巣箱、中が空洞の重箱式巣箱、丸太をくり抜いた巣箱など、みつばち寄生ダニを駆除したい場所に用いるみつばち寄生ダニ駆除具に適用できる。
【符号の説明】
【００１８】
１、１ａ、１Ａ  みつばち寄生ダニ駆除具
２  シート部材
３  メッシュ部材
４  シート本体
５、５Ａ、５Ｂ  枠体
６、６Ａ  係止部
１０  巣枠式巣箱
１１  底板
１９  巣枠
【図１】
0003196081.tif 000003
【図２】
0003196081.tif 000004
【図３】
0003196081.tif 000005
【図４】
0003196081.tif 000006
【図５】
0003196081.tif 000007
【図６】
0003196081.tif 000008
【図７】
0003196081.tif 000009